(57)【要約】【課題】少ない変換テーブル数で、表示パネルの色度バラツキの補償を行う。【解決手段】色度補正手段が、Ｒ用の変換テーブル群の中の４つを使用してＲの出力データを求めて表示パネルに出力する演算手段１と、Ｇの変換テーブル群の中の４つの変換テーブルを使用してＧの出力データを求めて表示パネルに出力する演算手段２と、Ｂ用の変換テーブル群の中の４つの変換テーブルを使用してＢの出力データを求めて表示パネルに出力する演算手段３とを有し、Ｒ用の変換テーブル群は、Ｇの所定階調と、Ｂの所定階調のそれぞれの組み合わせ毎に、Ｒの入力階調に対応するＲの出力階調を格納する複数のテーブルで構成され、Ｇ用の変換テーブル群は、Ｒの所定階調と、Ｂの所定階調のそれぞれの組み合わせ毎に、Ｇの入力階調に対応するＧの出力階調を格納する複数のテーブルで構成され、Ｂ用の変換テーブル群は、Ｒの所定階調、Ｇの所定階調のそれぞれの組み合わせ毎に、Ｂの入力階調に対応するＢの出力階調を格納する複数のテーブルで構成される。【選択図】図３Ａ
2012185410.tif 000002
【特許請求の範囲】
【請求項１】
表示パネルと、
前記表示パネルを駆動する駆動手段とを備え、
前記駆動手段は、前記表示パネルの色度ずれを補償する色度補正手段を有する表示装置であって、
前記駆動手段に入力される映像データは、少なくとも第１の色データ、第２の色データ、第３の色データを含み、
前記色度補正手段は、第１の色データ用の変換テーブル群と、
第２の色データ用の変換テーブル群と、
第３の色データ用の変換テーブル群と、
前記第１の色データ用の変換テーブル群の中の４つの変換テーブルを使用して、前記第１の色の出力データを求めて表示パネルに出力する演算手段１と、
前記第２の色データ用の変換テーブル群の中の４つの変換テーブルを使用して、前記第２の色の出力データを求めて表示パネルに出力する演算手段２と、
前記第３の色データ用の変換テーブル群の中の４つの変換テーブルを使用して、前記第３の色の出力データを求めて表示パネルに出力する演算手段３とを有し、
前記第１の色データ用の変換テーブル群は、前記第２の色データの所定階調と前記第３の色データの所定階調のそれぞれの組み合わせ毎に、前記第１の色データの入力階調に対応する前記第１の色データの出力階調を格納する複数のテーブルで構成され、
前記第２の色データ用の変換テーブル群は、前記第１の色データの所定階調と前記第３の色データの所定階調のそれぞれの組み合わせ毎に、前記第２の色データの入力階調に対応する前記第２の色データの出力階調を格納する複数のテーブルで構成され、
前記第３の色データ用の変換テーブル群は、前記第１の色データの所定階調と前記第２の色データの所定階調のそれぞれの組み合わせ毎に、前記第３の色データの入力階調に対応する前記第３の色データの出力階調を格納する複数のテーブルで構成されることを特徴とする表示装置。
【請求項２】
前記所定階調は、２のｎ（ｎ≧５）乗階調毎の階調であることを特徴とする請求項１に記載の表示装置。
【請求項３】
前記少なくとも第１の色データ、第２の色データ、第３の色データは、２５６階調のデータであり、
前記ｎは６であり、
前記第１の色データ用の変換テーブル群は、前記第２の色データと前記第３の色データの０、６４、１２８、１９２、および２５６階調のそれぞれの組み合わせ毎に、前記第１の色データの２５６の入力階調に対応する前記第１の色データの２５６の出力階調を格納する２５の変換テーブルであり、
前記第２の色データ用の変換テーブル群は、前記第１の色データと前記第３の色データの０、６４、１２８、１９２、および２５６階調のそれぞれの組み合わせ毎に、前記第２の色データの２５６の入力階調に対応する前記第２の色データの２５６の出力階調を格納する２５の変換テーブルであり、
前記第３の色データ用の変換テーブル群は、前記第１の色データと前記第２の色データの０、６４、１２８、１９２、および２５６階調のそれぞれの組み合わせ毎に、前記第３の色データの２５６の入力階調に対応する前記第３の色データの２５６の出力階調を格納する２５の変換テーブルであることを特徴とする請求項２に記載の示装置。
【請求項４】
前記少なくとも第１の色データの階調、第２の色データの階調、第３の色データの階調を、それぞれ、Ｄａ、Ｄｂ、Ｄｃとし、前記Ｄａ、Ｄｂ、Ｄｃは、それぞれ（ｉ−１）×６４≦Ｄａ≦ｉ×６４、（ｊ−１）×６４≦Ｄｂ≦ｊ×６４、（ｋ−１）×６４≦Ｄｃ≦ｋ×６４（１≦ｉ，ｊ，ｋ≦４）とするとき、
前記演算手段１は、前記第２の色の（ｊ−１）×６４階調と前記第３の色の（ｋ−１）×６４階調の組み合わせの第１の色データ用の変換テーブルにおける、前記第１の色データのＤａの入力階調に対応する前記第１の色データのＤａａの出力階調と、前記第２の色の（ｊ−１）×６４階調と前記第３の色のｋ×６４階調の組み合わせの第１の色データ用の変換テーブルにおける、前記第１の色データのＤａの入力階調に対応する前記第１の色データのＤａｂの出力階調と、前記第２の色のｊ×６４階調と前記第３の色の（ｋ−１）×６４階調の組み合わせの第１の色データ用の変換テーブルにおける、前記第１の色データのＤａの入力階調に対応する前記第１の色データのＤａｃの出力階調と、前記第２の色のｊ×６４階調と前記第３の色のｋ×６４階調の組み合わせの第１の色データ用の変換テーブルにおける、前記第１の色データのＤａの入力階調に対応するＤａｄの出力階調と、前記第２の色データのＤｂの階調と、前記第３の色データのＤｃの階調とに基づき、前記第１の色の出力データを求めることを特徴とする請求項３に記載の表示装置。
【請求項５】
前記少なくとも第１の色データの階調、第２の色データの階調、第３の色データの階調を、それぞれ、Ｄａ、Ｄｂ、Ｄｃとし、前記Ｄａ、Ｄｂ、Ｄｃは、それぞれ（ｉ−１）×６４≦Ｄａ≦ｉ×６４、（ｊ−１）×６４≦Ｄｂ≦ｊ×６４、（ｋ−１）×６４≦Ｄｃ≦ｋ×６４（１≦ｉ，ｊ，ｋ≦４）とするとき、
前記演算手段２は、前記第１の色の（ｉ−１）×６４階調と前記第３の色の（ｋ−１）×６４階調の組み合わせの第２の色データ用の変換テーブルにおける、前記第２の色データのＤｂの入力階調に対応する前記第２の色データのＤｂａの出力階調と、前記第１の色の（ｉ−１）×６４階調と前記第３の色のｋ×６４階調の組み合わせの第２の色データ用の変換テーブルにおける、前記第２の色データのＤｂの入力階調に対応する前記第２の色データのＤｂｂの出力階調と、前記第１の色のｉ×６４階調と前記第３の色の（ｋ−１）×６４階調の組み合わせの第２の色データ用の変換テーブルにおける、前記第２の色データのＤｂの入力階調に対応する前記第２の色データのＤｂｃの出力階調と、前記第１の色のｉ×６４階調と前記第３の色のｋ×６４階調の組み合わせの第２の色データ用の変換テーブルにおける、前記第２の色データのＤｂの入力階調に対応する前記第２の色データのＤｂｄの出力階調と、前記第１の色データのＤａの階調と、前記第３の色データのＤｃの階調とに基づき、前記第２の色の出力データを求めることを特徴とする請求項３に記載の表示装置。
【請求項６】
前記少なくとも第１の色データの階調、第２の色データの階調、第３の色データの階調を、それぞれ、Ｄａ、Ｄｂ、Ｄｃとし、前記Ｄａ、Ｄｂ、Ｄｃは、それぞれ（ｉ−１）×６４≦Ｄａ≦ｉ×６４、（ｊ−１）×６４≦Ｄｂ≦ｊ×６４、（ｋ−１）×６４≦Ｄｃ≦ｋ×６４（１≦ｉ，ｊ，ｋ≦４）とするとき、
前記演算手段３は、前記第１の色の（ｉ−１）×６４階調と前記第２の色の（ｊ−１）×６４階調の組み合わせの第３の色データ用の変換テーブルにおける、前記第３の色データのＤｃの入力階調に対応する前記第３の色データのＤｃａの出力階調と、前記第１の色の（ｉ−１）×６４階調と前記第２の色のｊ×６４階調の組み合わせの第３の色データ用の変換テーブルにおける、前記第３の色データのＤｃの入力階調に対応する前記第３の色データのＤｃｂの出力階調と、前記第１の色のｉ×６４階調と前記第２の色の（ｊ−１）×６４階調の組み合わせの第３の色データ用の変換テーブルにおける、前記第３の色データのＤｃの入力階調に対応する前記第３の色データのＤｃｃの出力階調と、前記第１の色のｉ×６４階調と前記第２の色のｊ×６４階調の組み合わせの第３の色データ用の変換テーブルにおける、前記第３の色データのＤｃの入力階調に対応する前記第３の色データのＤｃｄの出力階調と、前記第１の色データのＤａの階調と、前記第２の色データのＤｂの階調とに基づき、前記第３の色の出力データを求めることを特徴とする請求項３に記載の表示装置。
【請求項７】
前記所定階調の刻み幅は、低階調側で小さく、高階調側で大きいことを特徴とする請求項２に記載の表示装置。
【請求項８】
前記少なくとも第１の色データ、第２の色データ、第３の色データは、それぞれ、赤（Ｒ）、緑（Ｇ）、青（Ｂ）のデータであることを特徴とする請求項１ないし請求項７のいずれか１項に記載の表示装置。
【請求項９】
表示パネルと、
前記表示パネルを駆動する駆動手段とを備え、
前記駆動手段は、前記表示パネルの色度ずれを補償する色度補正手段を有する表示装置であって、
前記駆動手段に入力される映像データは、少なくとも第１の色データ、第２の色データ、第３の色データを含み、
前記色度補正手段は、第１の色データ用の変換テーブル群と、
前記第１の色データ用の変換テーブル群の中の４つの変換テーブルを使用して、前記第１の色の出力データを求めて表示パネルに出力する演算手段１と、
前記第１の色データ用の変換テーブル群は、前記第２の色データの所定階調と前記第３の色データの所定階調のそれぞれの組み合わせ毎に、前記第１の色データの入力階調に対応する前記第１の色データの出力階調を格納する複数のテーブルで構成されることを特徴とする表示装置。
【請求項１０】
前記所定階調は、２のｎ（ｎ≧５）乗階調毎の階調であることを特徴とする請求項９に記載の表示装置。
【請求項１１】
前記少なくとも第１の色データ、第２の色データ、第３の色データは、２５６階調のデータであり、
前記ｎは６であり、
前記第１の色データ用の変換テーブル群は、前記第２の色データと前記第３の色データの０、６４、１２８、１９２、および２５６階調のそれぞれの組み合わせ毎に、前記第１の色データの２５６の入力階調に対応する前記第１の色データの２５６の出力階調を格納する２５の変換テーブルであることを特徴とする請求項１０に記載の示装置。
【請求項１２】
前記少なくとも第１の色データの階調、第２の色データの階調、第３の色データの階調を、それぞれ、Ｄａ、Ｄｂ、Ｄｃとし、前記Ｄａ、Ｄｂ、Ｄｃは、それぞれ（ｉ−１）×６４≦Ｄａ≦ｉ×６４、（ｊ−１）×６４≦Ｄｂ≦ｊ×６４、（ｋ−１）×６４≦Ｄｃ≦ｋ×６４（１≦ｉ，ｊ，ｋ≦４）とするとき、
前記演算手段１は、前記第２の色の（ｊ−１）×６４階調と前記第３の色の（ｋ−１）×６４階調の組み合わせの第１の色データ用の変換テーブルにおける、前記第１の色データのＤａの入力階調に対応する前記第１の色データのＤａａの出力階調と、前記第２の色の（ｊ−１）×６４階調と前記第３の色のｋ×６４階調の組み合わせの第１の色データ用の変換テーブルにおける、前記第１の色データのＤａの入力階調に対応する前記第１の色データのＤａｂの出力階調と、前記第２の色のｊ×６４階調と前記第３の色の（ｋ−１）×６４階調の組み合わせの第１の色データ用の変換テーブルにおける、前記第１の色データのＤａの入力階調に対応する前記第１の色データのＤａｃの出力階調と、前記第２の色のｊ×６４階調と前記第３の色のｋ×６４階調の組み合わせの第１の色データ用の変換テーブルにおける、前記第１の色データのＤａの入力階調に対応するＤａｄの出力階調と、前記第２の色データのＤｂの階調と、前記第３の色データのＤｃの階調とに基づき、前記第１の色の出力データを求めることを特徴とする請求項１１に記載の表示装置。
【請求項１３】
前記所定階調の刻み幅は、低階調側で小さく、高階調側で大きいことを特徴とする請求項１０に記載の表示装置。
【請求項１４】
前記少なくとも第１の色データ、第２の色データ、第３の色データは、それぞれ、赤（Ｒ）、緑（Ｇ）、青（Ｂ）のデータであることを特徴とする請求項９ないし請求項１３のいずれか１項に記載の表示装置。
【発明の詳細な説明】
【技術分野】
【０００１】
本発明は、表示装置に係わり、特に、液晶表示パネルの色度ばらつきを補償する方法に関する。
【背景技術】
【０００２】
液晶表示パネルは、色再現性が、光の波長や、輝度に依存して変換する。
図８は、液晶表示パネルの色度座標を説明するためのグラフであり、図８のグラフにおいて、Ａが液晶表示パネルの色度座標、Ｂが目標とする色度座標である。なお、表１に、液晶表示パネルの色度座標を、表２に目標とする色度座標を示す。
【０００３】
（表1）
2012185410.tif 000003
【０００４】
（表２）
2012185410.tif 000004
【０００５】
図８に示すように、一般に、液晶表示パネルに表示しようとする色（目標とする規格上の色）と、液晶表示パネルに実際に表示される色とは異なっている。以下、本明細書では、このような、規格上の色と、液晶表示パネルに実際に表示される色の微妙な色ズレを色度ばらつきと称する。
特に、車載用の液晶表示パネルでは、この色度ばらつきの許容差は、色度座標上で、ｘ、ｙともに±０．０５と大きく、色度ばらつきの改善が要望されている。
このような色度ばらつきを改善するための方法が、例えば、下記特許文献１に記載されている。
この特許文献１では、放送方式等の入力映像フォーマットに応じ、液晶パネルの色再現範囲に合わせて入力映像信号の色度を補正する方式である。
【先行技術文献】
【特許文献】
【０００６】
【特許文献１】特開２００３−１７９９４６号公報
【発明の概要】
【発明が解決しようとする課題】
【０００７】
今、図５に示すように、たとえば、色度座標上において、赤（Ｒ）の色度点が、規格上の色度点Ｒｏに対し、実際の液晶表示パネルＬＣＤでは、Ｒａになった場合に、これを補正する必要がある。
具体的には、図６に示すように、液晶表示パネルＬＣＤの前段にデータ変換手段１００と、不揮発性メモリ（例えば、ＥＥＰＲＯＭ）１０１を設け、図７に示すような手順で補正する。
即ち、始めに、ステップ１１１において、液晶表示パネルＬＣＤの色度値を測定する。
次に、ステップ１１２において、色度座標上で目標とする色度と、液晶表示パネルＬＣＤの実測値から、入力階調に対する出力階調の変換テーブルを求め、不揮発性メモリ１０１に格納する。
次に、ステップ１１３において、データ変換手段１００が、不揮発性メモリ１０１内の変換テーブルを読み出し、これに従って、入力階調を出力階調に変換して、液晶表示パネルＬＣＤに送り、液晶表示パネルＬＣＤに表示する。
ここで、データ変換手段１００に入力される表示データを（Ｒ，Ｇ，Ｂ）とし、データ変換手段１００から出力される表示データを（Ｒ’，Ｇ’，Ｂ’）とすると、Ｒ’は、（Ｒ，Ｇ，Ｂ）の関数となる。同様に、Ｇ’，Ｂ’も、それぞれ別の（Ｒ，Ｇ，Ｂ）の関数として表すことができる。
【０００８】
図６に示す構成では、入力階調のすべての組み合わせに対する変換テーブルを不揮発性メモリ１０１に格納することで、どの入力階調組み合わせに対しても変換可能である。
しかしながら、表示階調が２５６階調の場合、１６７０万ワード×８ｂｉｔ×３の変換テーブルが必要となるので集積化は現実的でないという問題がある。
本発明は、前記従来技術の問題点を解決するためになされたものであり、本発明の目的は、表示装置において、少ない変換テーブル数で表示パネルの色度バラツキの補償を行うことが可能となる技術を提供することにある。
本発明の前記ならびにその他の目的と新規な特徴は、本明細書の記述及び添付図面によって明らかにする。
【課題を解決するための手段】
【０００９】
本願において開示される発明のうち、代表的なものの概要を簡単に説明すれば、下記の通りである。
（１）表示パネルと、前記表示パネルを駆動する駆動手段とを備え、前記駆動手段は、前記表示パネルの色度ずれを補償する色度補正手段を有する表示装置であって、前記駆動手段に入力される映像データは、少なくとも第１の色データ、第２の色データ、第３の色データ（例えば、赤（Ｒ）、緑（Ｇ）、青（Ｂ）のデータ）を含み、前記色度補正手段は、第１の色データ用の変換テーブル群と、第２の色データ用の変換テーブル群と、第３の色データ用の変換テーブル群と、前記第１の色データ用の変換テーブル群の中の４つの変換テーブルを使用して、前記第１の色の出力データを求めて表示パネルに出力する演算手段１と、前記第２の色データ用の変換テーブル群の中の４つの変換テーブルを使用して、前記第２の色の出力データを求めて表示パネルに出力する演算手段２と、前記第３の色データ用の変換テーブル群の中の４つの変換テーブルを使用して、前記第３の色の出力データを求めて表示パネルに出力する演算手段３とを有し、前記第１の色データ用の変換テーブル群は、前記第２の色データの所定階調と前記第３の色データの所定階調のそれぞれの組み合わせ毎に、前記第１の色データの入力階調に対応する前記第１の色データの出力階調を格納する複数のテーブルで構成され、前記第２の色データ用の変換テーブル群は、前記第１の色データの所定階調と前記第３の色データの所定階調のそれぞれの組み合わせ毎に、前記第２の色データの入力階調に対応する前記第２の色データの出力階調を格納する複数のテーブルで構成され、前記第３の色データ用の変換テーブル群は、前記第１の色データの所定階調と前記第２の色データの所定階調のそれぞれの組み合わせ毎に、前記第３の色データの入力階調に対応する前記第３の色データの出力階調を格納する複数のテーブルで構成される。
【００１０】
（２）（１）において、前記所定階調は、２のｎ（ｎ≧５）乗階調毎の階調である。
（３）（２）において、前記所定階調の刻み幅は、低階調側で小さく、高階調側で大きい。
（４）（２）において、前記少なくとも第１の色データ、第２の色データ、第３の色データは、２５６階調のデータであり、前記ｎは６であり、前記第１の色データ用の変換テーブル群は、前記第２の色データと前記第３の色データの０、６４、１２８、１９２、および２５６階調のそれぞれの組み合わせ毎に、前記第１の色データの２５６の入力階調に対応する前記第１の色データの２５６の出力階調を格納する２５の変換テーブルであり、前記第２の色データ用の変換テーブル群は、前記第１の色データと前記第３の色データの０、６４、１２８、１９２、および２５６階調のそれぞれの組み合わせ毎に、前記第２の色データの２５６の入力階調に対応する前記第２の色データの２５６の出力階調を格納する２５の変換テーブルであり、前記第３の色データ用の変換テーブル群は、前記第１の色データと前記第２の色データの０、６４、１２８、１９２、および２５６階調のそれぞれの組み合わせ毎に、前記第３の色データの２５６の入力階調に対応する前記第３の色データの２５６の出力階調を格納する２５の変換テーブルである。
【００１１】
（５）（３）において、前記少なくとも第１の色データの階調、第２の色データの階調、第３の色データの階調を、それぞれ、Ｄａ、Ｄｂ、Ｄｃとし、前記Ｄａ、Ｄｂ、Ｄｃは、それぞれ（ｉ−１）×６４≦Ｄａ≦ｉ×６４、（ｊ−１）×６４≦Ｄｂ≦ｊ×６４、（ｋ−１）×６４≦Ｄｃ≦ｋ×６４（１≦ｉ，ｊ，ｋ≦４）とするとき、前記演算手段１は、前記第２の色の（ｊ−１）×６４階調と前記第３の色の（ｋ−１）×６４階調の組み合わせの第１の色データ用の変換テーブルにおける、前記第１の色データのＤａの入力階調に対応する前記第１の色データのＤａａの出力階調と、前記第２の色の（ｊ−１）×６４階調と前記第３の色のｋ×６４階調の組み合わせの第１の色データ用の変換テーブルにおける、前記第１の色データのＤａの入力階調に対応する前記第１の色データのＤａｂの出力階調と、前記第２の色のｊ×６４階調と前記第３の色の（ｋ−１）×６４階調の組み合わせの第１の色データ用の変換テーブルにおける、前記第１の色データのＤａの入力階調に対応する前記第１の色データのＤａｃの出力階調と、前記第２の色のｊ×６４階調と前記第３の色のｋ×６４階調の組み合わせの第１の色データ用の変換テーブルにおける、前記第１の色データのＤａの入力階調に対応するＤａｄの出力階調と、前記第２の色データのＤｂの階調と、前記第３の色データのＤｃの階調とに基づき、前記第１の色の出力データを求め、前記演算手段２は、前記第１の色の（ｉ−１）×６４階調と前記第３の色の（ｋ−１）×６４階調の組み合わせの第２の色データ用の変換テーブルにおける、前記第２の色データのＤｂの入力階調に対応する前記第２の色データのＤｂａの出力階調と、前記第１の色の（ｉ−１）×６４階調と前記第３の色のｋ×６４階調の組み合わせの第２の色データ用の変換テーブルにおける、前記第２の色データのＤｂの入力階調に対応する前記第２の色データのＤｂｂの出力階調と、前記第１の色のｉ×６４階調と前記第３の色の（ｋ−１）×６４階調の組み合わせの第２の色データ用の変換テーブルにおける、前記第２の色データのＤｂの入力階調に対応する前記第２の色データのＤｂｃの出力階調と、前記第１の色のｉ×６４階調と前記第３の色のｋ×６４階調の組み合わせの第２の色データ用の変換テーブルにおける、前記第２の色データのＤｂの入力階調に対応する前記第２の色データのＤｂｄの出力階調と、前記第１の色データのＤａの階調と、前記第３の色データのＤｃの階調とに基づき、前記第２の色の出力データを求め、前記演算手段３は、前記第１の色の（ｉ−１）×６４階調と前記第２の色の（ｊ−１）×６４階調の組み合わせの第３の色データ用の変換テーブルにおける、前記第３の色データのＤｃの入力階調に対応する前記第３の色データのＤｃａの出力階調と、前記第１の色の（ｉ−１）×６４階調と前記第２の色のｊ×６４階調の組み合わせの第３の色データ用の変換テーブルにおける、前記第３の色データのＤｃの入力階調に対応する前記第３の色データのＤｃｂの出力階調と、前記第１の色のｉ×６４階調と前記第２の色の（ｊ−１）×６４階調の組み合わせの第３の色データ用の変換テーブルにおける、前記第３の色データのＤｃの入力階調に対応する前記第３の色データのＤｃｃの���力階調と、前記第１の色のｉ×６４階調と前記第２の色のｊ×６４階調の組み合わせの第３の色データ用の変換テーブルにおける、前記第３の色データのＤｃの入力階調に対応する前記第３の色データのＤｃｄの出力階調と、前記第１の色データのＤａの階調と、前記第２の色データのＤｂの階調とに基づき、前記第３の色の出力データを求める。
【発明の効果】
【００１２】
本願において開示される発明のうち代表的なものによって得られる効果を簡単に説明すれば、下記の通りである。
本発明の表示装置によれば、少ない変換テーブル数で、表示パネルの色度バラツキの補償を行うことが可能となる。
【図面の簡単な説明】
【００１３】
【図１】本発明の実施例の液晶表示装置の基本構成を示すブロック図である。
【図２】本発明の実施例の液晶表示装置の色度補正手段を説明するための概念図である。
【図３Ａ】本発明の実施例の出力Ｒ演算回路を説明するための図である。
【図３Ｂ】本発明の実施例の出力Ｇ演算回路を説明するための図である。
【図３Ｃ】本発明の実施例の出力Ｂ演算回路を説明するための図である。
【図４Ａ】本発明の実施例の色度補正手段において、赤（Ｒ）の出力階調の演算方法を説明するためのグラフである。
【図４Ｂ】本発明の実施例の色度補正手段において、緑（Ｇ）の出力階調の演算方法を説明するためのグラフである。
【図４Ｃ】本発明の実施例の色度補正手段において、青（Ｂ）の出力階調の演算方法を説明するためのグラフである。
【図５】色度座標上において、赤（Ｒ）の色度点が、規格上の色度点Ｒｏに対し、実際の液晶表示パネルでは、Ｒａになった場合を説明するための図である。
【図６】従来の色度補正手段の構成を示すブロック図である。
【図７】従来の色度補正方法の手順を示すフローチャートである。
【図８】液晶表示パネルの色度座標を説明するためのグラフである。
【発明を実施するための形態】
【００１４】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
図１は、本発明の実施例の液晶表示装置の基本構成を示すブロック図である。
本実施例の液晶表示装置は、液晶表示パネルＬＣＤと、液晶駆動回路５０と、フレキシブルプリント基板７２と、バックライト７００から構成される。液晶表示パネルＬＣＤの一辺には、液晶駆動回路５０が設けられており、この液晶駆動回路５０により液晶表示パネルＬＣＤに各種信号が供給される。液晶駆動回路５０には外部からの信号を供給するためにフレキシブルプリント基板７２が電気的に接続されている。
液晶表示パネルＬＣＤは、薄膜トランジスタ６１０、画素電極６１１、対向電極（コモン電極）６１５等が形成される基板６２０（以下、ＴＦＴ基板とも呼ぶ）と、カラーフィルタ等が形成される基板６３０（以下、フィルタ基板とも呼ぶ）とを、所定の間隙を隔てて重ね合わせ、該両基板間の周縁部近傍に枠状に設けたシール材（図示せず）により、両基板を貼り合わせると共に、シール材の内側に液晶組成物を封入、封止し、さらに、両基板の外側に偏光板を貼り付け、ＴＦＴ基板６２０にフレキシブルプリント基板７２を接続して構成される。
なお、本実施の形態は対向電極６１５がＴＦＴ基板６２０に設けられる所謂横電界方式の液晶表示パネルにも、対向電極６１５がフィルタ基板６３０に設けられる所謂縦電界方式の液晶表示パネルにも同様に適用される。
【００１５】
図１においては、図中ｘ方向に延在しｙ方向に並設される走査信号線（ゲート信号線とも呼ぶ）６２１と、ｙ方向に延在しｘ方向に並設される映像信号線（ドレイン信号線とも呼ぶ）６２２とが設けられており、走査信号線６２１とドレイン信号線６２２とで囲まれる領域に画素部６０８が形成されている。また、図１では、図中ｘ方向に延在しｙ方向に並設される対向電極信号線６２５も設けられている。
なお、液晶表示パネルＬＣＤは多数の画素部６０８をマトリクス状に備えているが、図を解り易くするため、図１では画素部６０８を１つだけ示している。マトリクス状に配置された画素部６０８は表示領域６０９を形成し、各画素部６０８が表示画像の画素の役割をはたし、表示領域６０９に画像を表示する。
各画素部６０８の薄膜トランジスタ６１０は、ソースが画素電極６１１に接続され、ドレインが映像信号線６２２に接続され、ゲートが走査信号線６２１に接続される。この薄膜トランジスタ６１０は、画素電極６１１に表示電圧（階調電圧）を供給するためのスイッチとして機能する。
なお、ソース、ドレインの呼び方は、バイアスの関係で逆になることもあるが、ここでは、映像信号線６２２に接続される方をドレインと称する。また、画素電極６１１と対向電極６１５とは容量（液晶容量）を形成している。
液晶駆動回路５０は、ＴＦＴ基板６２０を構成する透明な絶縁基板（ガラス基板、樹脂基板等）に配置される。液晶駆動回路５０は走査信号線６２１と映像信号線６２２と対向電極信号線６２５に接続している。
【００１６】
ＴＦＴ基板６２０には、フレキシブルプリント基板７２が接続されている。また、フレキシブルプリント基板７２にはコネクタ６４０が設けられている。コネクタ６４０は外部信号線と接続され外部からの信号が入力する。コネクタ６４０と液晶駆動回路５０の間には配線６３１が設けられており、外部からの信号は液晶駆動回路５０に入力する。
また、フレキシブルプリント基板７２はバックライト７００に定電圧を供給している。バックライト７００は液晶表示パネルＬＣＤの光源として使用される。なお、バックライト７００は液晶表示パネルＬＣＤの裏面または前面に設けられるが、図１では図を簡潔にするため、液晶表示パネルＬＣＤと並べて表示している。
また、液晶駆動回路５０は画素が表示すべき階調に対応する階調電圧を映像信号線６２２に出力する。薄膜トランジスタ６１０がオン状態（導通）になると、映像信号線６２２から階調電圧（映像信号）が画素電極６１１に供給される。その後、薄膜トランジスタ６１０がオフ状態となることで画素が表示すべき映像に基づく階調電圧が画素電極６１１に保持される。
対向電極６１５には、対向電極信号線６２５を介して一定の対向電極電圧が印加されており、液晶表示パネルＬＣＤは画素電極６１１と対向電極６１５との間の電位差により、間に挟まれた液晶分子の配向方向を変化させ、光の透過率または反射率を変化させることで画像を表示する。
【００１７】
［本実施例の特徴］
本実施例でも、図６、図７を用いて説明したように、液晶駆動回路５０の内に、データ変換手段１００と、不揮発性メモリ（例えば、ＥＥＰＲＯＭ）１０１を有し、入力されるＲ，Ｇ，Ｂの映像データを補正して、液晶表示パネルＬＣＤに出力する色度補正手段を有する。
以下、本実施例の色度補正方法について説明する。なお、以下の説明では、入力される赤（Ｒ）、緑（Ｇ）、青（Ｂ）のデータは８ビットで、２５６階調のデータとする。
図２は、本実施例の色度補正手段を説明するための概念図である。図２に示すように、本実施例の色度補正手段は、出力Ｒ演算回路１０と、出力Ｇ演算回路２０と、出力Ｂ演算回路３０とを有する。
出力Ｒ演算回路１０は、緑（Ｇ）、青（Ｂ）の６４（２の６乗）階調刻みの組み合わせで２５個の赤（Ｒ）の変換テーブル１１と、演算回路１２とで構成される。２５個の赤（Ｒ）の変換テーブル１１には、緑（Ｇ）、青（Ｂ）がそれぞれの値のときに、赤（Ｒ）の入力階調に対する出力階調を予め格納しておく。すなわち、２５個の赤（Ｒ）の変換テーブル１１には、入力される赤（Ｒ）、緑（Ｇ）、青（Ｂ）の組み合わせに対し、色度座標変換を行い、所望の色度座標を表示するときに必要な、赤（Ｒ）の出力階調データを格納しておく。
【００１８】
出力Ｇ演算回路２０は、赤（Ｒ）、青（Ｂ）の６４階調刻みの組み合わせで２５個の緑（Ｇ）の変換テーブル（図３Ｂの２１）と、演算回路（図３Ｂの２２）とで構成される。２５個の緑（Ｇ）の変換テーブル（図３Ｂの２１）には、赤（Ｒ）、青（Ｂ）がそれぞれの値のときに、緑（Ｇ）の入力階調に対する出力階調を予め格納しておく。すなわち、２５個の緑（Ｇ）の変換テーブル（図３Ｂの２１）には、入力される赤（Ｒ）、緑（Ｇ）、青（Ｂ）の組み合わせに対し、色度座標変換を行い、所望の色度座標を表示するときに必要な、緑（Ｇ）の出力階調データを格納しておく。
出力Ｂ演算回路３０は、赤（Ｒ）、緑（Ｇ）の６４階調刻みの組み合わせで２５個の青（Ｂ）の変換テーブル（図３Ｃの３１）と、演算回路（図３Ｃの３２）とで構成される。２５個の青（Ｂ）の変換テーブル（図３Ｃの３１）には、赤（Ｒ）、緑（Ｒ）がそれぞれの値のときに、青（Ｂ）の入力階調に対する出力階調を予め格納しておく。すなわち、２５個の青（Ｂ）の変換テーブル（図３Ｃの３１）には、入力される赤（Ｒ）、緑（Ｇ）、青（Ｂ）の組み合わせに対し、色度座標変換を行い、所望の色度座標を表示するときに必要な、青（Ｂ）の出力階調データを格納しておく。
なお、各変換テーブルは、不揮発性メモリ（例えば、ＥＥＰＲＯＭ）で構成される。
【００１９】
以下、８ビットのＲｘ，Ｇｘ，Ｂｘの階調データが入力した場合について説明する。
ここで、Ｒｘ、Ｇｘ，Ｂｘは、１９２≦Ｒｘ≦２５６、１２８≦Ｇｘ≦１９２、６４≦Ｂｘ≦１２８であるとする。
前述の赤（Ｒ）、緑（Ｇ）、青（Ｂ）のそれぞれの入力階調データについて、２５個の赤（Ｒ）、緑（Ｇ）、青（Ｂ）の変換テーブル（１１、２１，３１）の各変換テーブルのパラメータと、入力階調データとの大小関係により、図３ＡのＡ、図３ＢのＢ、図３ＣのＣに示すように、この入力階調データを囲む変換テーブルを選択する。
以下、赤（Ｒ）の出力階調の演算方法について詳細に説明する。
１２８≦Ｇｘ≦１９２、６４≦Ｂｘ≦１２８の大小関係より、図３ＡのＡに示すように、出力Ｒ演算回路１０内の『Ｇ＝１２８，Ｂ＝６４』、『Ｇ＝１２８，Ｂ＝１２８』、『Ｇ＝１９２，Ｂ＝６４』、『Ｇ＝１９２，Ｂ＝１２８』の変換テーブルを選択し、各々の変換テーブルについて、赤（Ｒ）の入力階調に対する出力階調の値を読み出す。
この値を、各々ｒ００，ｒ１０，ｒ０１，ｒ１１とする。このときＢｘ、Ｇｘと、ｒ００，ｒ０１，ｒ１０，ｒ１１を図示すると図４Ａのグラフにように表される。
なお、３Ａは、本発明の実施例の出力Ｒ演算回路を説明するための図であり、図４Ａは、本発明の実施例の色度補正手段において、赤（Ｒ）の出力階調の演算方法を説明するためのグラフである。また、図３Ａにおいて、Ｒ−ＩＮは、赤（Ｒ）の入力階調を、Ｒ−ＯＵＴは、赤（Ｒ）の出力階調を示し、図４Ａにおいて、Ｂ−ＩＮは、緑（Ｇ）の入力階調を、Ｒ−ＯＵＴは、赤（Ｒ）の出力階調を示す。
図４Ａのグラフにおいて、Ｂｘに対する傾きは、下記（１）式で表され、Ｂｘ＝６４のときの赤（Ｒ）の出力階調の値は、下記（２）式で表される。
【００２０】
【数１】
2012185410.tif 000005
・・・・・・・    （１）
【数２】
2012185410.tif 000006
【００２１】
例えば、緑（Ｇ）を０階調で固定し、青（Ｂ）を３２階調刻み変更した場合、赤（Ｒ）の入力階調に対する赤（Ｒ）の出力階調は、高階調側では直線的に変化するが、低階調側（１２８階調以下）では曲線的に変化する。
しかしながら、赤（Ｒ）の入力階調が一定の条件では、青（Ｂ）の変化に対して、赤（Ｒ）の出力階調は直線的（リニア）に変化する。
したがって、１２８≦Ｇｘ≦１９２、６４≦Ｇｘ≦１２８の範囲において、Ｇｘ，Ｂｘの変化に対し、赤（Ｒ）の出力階調が直線的（リニア）に変化するものと考えると、ＲＸの赤（Ｒ）の入力階調に対する赤（Ｒ）の出力階調ｒｘは、下記（３）式で計算することができ、（３）式を簡単にすると下記（４）式が得られる。
【００２２】
【数３】
2012185410.tif 000007
・・・・・・・    （３）
【数４】
2012185410.tif 000008
・・・・・・・    （４）
【００２３】
図３Ａ〜図３Ｃに示すように、赤（Ｒ）、緑（Ｇ）、青（Ｂ）の変換テーブル（１１、２１，３１）において、各変換テーブルを２のｎ（ここでは、ｎ＝６）乗の値に関して求めることにより、（４）式の割り算の分母は２のｍ（ここでは、ｍ＝６）乗の形になり、デジタル回路での構成が容易となる。
また、デジタル回路は、簡単な加減算および高々６ビットの掛け算となるので、（４）式は比較的簡単なデジタル回路で構成することが可能である。
緑（Ｇ）の出力階調、青（Ｂ）の出力階調についても、赤（Ｒ）の出力階調と同様に求めることできる。
即ち、１９２≦Ｒｘ≦２５６、６４≦Ｂｘ≦１２８の大小関係より、図３ＢのＢに示すように、出力Ｇ演算回路２０内の『Ｒ＝１９２，Ｂ＝６４』、『Ｒ＝１９２，Ｂ＝１２８』、『Ｒ＝２５６，Ｂ＝６４』、『Ｒ＝２５６，Ｂ＝１２８』の変換テーブルを選択し、各々の変換テーブルについて、緑（Ｇ）の入力階調に対する出力階調の値を読み出す。この値を、各々ｇ００，ｇ１０，ｇ０１，ｇ１１とするとき、Ｒｘ、Ｂｘと、ｇ００，ｇ０１，ｇ１０，ｇ１１を図示すると、図４Ｂのグラフにように表される。
なお、図３Ｂは、本発明の実施例の出力Ｇ演算回路を説明するための図であり、図４Ｂは、本発明の実施例の色度補正手段において、緑（Ｇ）の出力階調の演算方法を説明するためのグラフである。また、図３Ｂにおいて、Ｇ−ＩＮは、緑（Ｇ）の入力階調を、Ｇ−ＯＵＴは、緑（Ｇ）の出力階調を示し、図４Ｂにおいて、Ｂ−ＩＮは、青（Ｂ）の入力階調を、Ｇ−ＯＵＴは、緑（Ｇ）の出力階調を示す。
そして、ＧＸの緑（Ｇ）の入力階調に対する緑（Ｇ）の出力階調ｇｘは下記（５）式で表される。
【００２４】
【数５】
2012185410.tif 000009
・・・・・・・    （５）
【００２５】
同様に、１９２≦Ｒｘ≦２５６、１２８≦Ｇｘ≦１９２の大小関係より、図３ＣのＣに示すように、出力Ｂ演算回路３０内の『Ｒ＝１９２，Ｇ＝１２８』、『Ｒ＝１９２，Ｇ＝１９２』、『Ｒ＝２５６，Ｇ＝１２８』、『Ｒ＝２５６，Ｇ＝１９２』の変換テーブルを選択し、各々の変換テーブルについて、青（Ｇ）の入力階調に対する出力階調の値を読み出す。この値を、各々ｂ００，ｂ１０，ｂ０１，ｂ１１とするとき、Ｒｘ、Ｇｘと、ｂ００，ｂ０１，ｂ１０，ｂ１１を図示すると、図４Ｃのグラフにように表される。
なお、図３Ｃは、本発明の実施例の出力Ｂ演算回路を説明するための図であり、図４Ｃは、本発明の実施例の色度補正手段において、青（Ｂ）の出力階調の演算方法を説明するためのグラフである。また、図３Ｃにおいて、Ｂ−ＩＮは、青（Ｂ）の入力階調を、Ｂ−ＯＵＴは、青（Ｂ）の出力階調を示し、図４Ｃにおいて、Ｇ−ＩＮは、緑（Ｇ）の入力階調を、Ｂ−ＯＵＴは、青（Ｂ）の出力階調を示す。
そして、ＢＸの青（Ｇ）の入力階調に対する青（Ｇ）の出力階調ｂｘは下記（６）式で表される。
【００２６】
【数６】
2012185410.tif 000010
・・・・・・・    （６）
【００２７】
なお、前述の説明において、２５６階調の赤（Ｒ）、緑（Ｇ）、青（Ｂ）の入力階調（Ｒ−ＩＮ，Ｇ−ＩＮ，Ｂ−ＩＮ）の値と、２５６階調の赤（Ｒ）、緑（Ｇ）、青（Ｂ）の出力階調（Ｒ−ＯＵＴ，Ｇ−ＯＵＴ，Ｂ−ＯＵＴ）の値は、演算で求められる値である。
さらに、前述の（４）〜（６）式において、ｒｘ、ｇｘ、ｂｘの値が、小数点を含む場合、小数点以下は切り下げ、あるいは、四捨五入すればよい。
このように、本実施例の色度補正方法によれば、比較的少ない変換テーブルのテーブル量で色度座標変換が可能となる。
図６、図７で説明した従来の色度補正方法のように、１６７０万ワードの変換テーブルを持つ場合、１６７０万ワード×８ビット×３＝４００Ｍｂｉｔのメモリ量が必要となる。
これに対して、本実施例の色度補正方法によれば、２５６ワード×８ｂｉｔ×２５×３＝１５４ｋｂｉｔのメモリ量で済み、従来よりもメモリ量を低減することが可能である。
【００２８】
前述したように、例えば、緑（Ｇ）を０階調で固定し、青（Ｂ）を３２階調刻み変更した場合、赤（Ｒ）の入力階調に対する赤（Ｒ）の出力階調は、高階調側では直線的に変化するが、低階調側（１２８階調以下）では曲線的に変化する。
そこで、赤（Ｒ）の変換テーブル１１、緑（Ｇ）の変換テーブル２１、および、青（Ｂ）の変換テーブル３１の階調の刻み幅は、低階調側で小さく、高階調側で大きくすることも可能である。例えば、赤（Ｒ）の変換テーブル１１は、緑（Ｇ）、青（Ｂ）がそれぞれ１２８階調以下の時に、緑（Ｇ）、青（Ｂ）の６４（２の６乗）刻みの組み合わせ毎に、赤（Ｒ）の入力階調に対する出力階調を格納する変換テーブルと、緑（Ｇ）、青（Ｂ）がそれぞれ１２８階調以上のときには、緑（Ｇ）、青（Ｂ）の１２８（２の７乗）刻みの組み合わせ毎に、赤（Ｒ）の入力階調に対する出力階調を格納する変換テーブルとで構成して良い。
あるいは、赤（Ｒ）の変換テーブル１１は、緑（Ｇ）、青（Ｂ）がそれぞれ１２８階調以下の時に、緑（Ｇ）、青（Ｂ）の３２（２の５乗）刻みの組み合わせ毎に、赤（Ｒ）の入力階調に対する出力階調を格納する変換テーブルと、緑（Ｇ）、青（Ｂ）がそれぞれ１２８階調以上のときには、緑（Ｇ）、青（Ｂ）の１２８（２の７乗）刻みの組み合わせ毎に、赤（Ｒ）の入力階調に対する出力階調を格納する変換テーブルとで構成して良い。
【００２９】
なお、前述の説明では、入力される映像データとして、ＲＧＢを使用する場合について説明したが、本発明は、これに限定されるものではなく、ＸＹＺなどの他の色表示系を使用することも可能である。
また、前述の説明では、出力Ｒ演算回路１０、出力Ｇ演算回路２０、出力Ｂ演算回路３０のすべてを具備した構成となっているが、必ずしもＲＧＢ全ての演算回路を具備しなくてもよい。少なくとも1色の演算回路を具備していれば、上記の本発明の効果を得ることができる。例えば、赤（Ｒ）の色度点のみ厳密に調整する必要がある場合は、出力Ｒ演算回路２０のみを具備し、出力Ｇ演算回路２０、出力Ｂ演算回路３０は具備しない構成にしてもよい。
また、本明細書では、本発明を液晶表示装置に適用した実施例について説明したが、本発明は、これに限定されるものではなく、無機ＥＬ表示装置、あるいは、有機ＥＬ表示などのＥＬ表示装置にも適用可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００３０】
１０  出力Ｒ演算回路
１１  赤（Ｒ）の変換テーブル
１２，２２，３２  演算回路
２０  出力Ｇ演算回路
２１  緑（Ｇ）の変換テーブル
３０  出力Ｂ演算回路
３１  青（Ｂ）の変換テーブル
５０  液晶駆動回路
７２  フレキシブルプリント基板
１００  データ変換手段
１０１  不揮発性メモリ（例えば、ＥＥＰＲＯＭ）
６０８  画素部
６０９  表示領域
６１０  薄膜トランジスタ
６１１  画素電極
６１５  対向電極（コモン電極）
６２０，６３０  基板
６２１  走査信号線（ゲート信号線とも呼ぶ）
６２２  映像信号線（ドレイン信号線とも呼ぶ）
６２５  対向電極信号線
６３１  配線
６４０  コネクタ
７００  バックライト
ＬＣＤ  液晶表示パネル
【図１】
2012185410.tif 000011
【図２】
2012185410.tif 000012
【図３Ａ】
2012185410.tif 000013
【図３Ｂ】
2012185410.tif 000014
【図３Ｃ】
2012185410.tif 000015
【図４Ａ】
2012185410.tif 000016
【図４Ｂ】
2012185410.tif 000017
【図４Ｃ】
2012185410.tif 000018
【図５】
2012185410.tif 000019
【図６】
2012185410.tif 000020
【図７】
2012185410.tif 000021
【図８】
2012185410.tif 000022